(57)【要約】      （修正有）【課題】ユーザの利便性を向上するモニタリングシステム等を提供する。【解決手段】提供された医薬品の使用状態をモニターするモニタリングシステム１は、収納容器１０１、１０２、１０３と、サーバ２００と、モニタリング端末３００とを備える。収納容器１０１、１０２、１０３は、医薬品を入れる医薬品容器を収納し、底部に加わる荷重によって変動する荷重データを無線発信する。サーバ２００は、荷重データを受信する。モニタリング端末３００は、サーバ２００と通信する。モニタリング端末３００は、サーバ２００からの受信データに基づいて、使用状態を示す情報を出力する。【選択図】図１
2019022586.tif 000002
【特許請求の範囲】
【請求項１】
提供された医薬品の使用状態をモニターするモニタリングシステムであって、
前記医薬品を入れる医薬品容器を収納し、底部に加わる荷重によって変動する荷重データを無線発信する収納容器と、
前記荷重データを受信するサーバと、
前記サーバと通信するモニタリング端末と、
を備え、
前記モニタリング端末は、前記サーバからの受信データに基づいて、前記使用状態を示す情報を出力する、
ことを特徴とするモニタリングシステム。
【請求項２】
前記サーバ又は前記モニタリング端末は、前記荷重データに基づいて前記使用状態を示す情報を生成する、
ことを特徴とする請求項１に記載のモニタリングシステム。
【請求項３】
前記荷重データの推移が予め定められた条件を満たさない場合に、前記モニタリング端末は、前記使用状態に異常があることを示す警報情報を出力する、
ことを特徴とする請求項１又は２に記載のモニタリングシステム。
【請求項４】
前記サーバ又は前記モニタリング端末は、前記提供された医薬品の処方箋を示す処方箋情報を記憶し、
前記予め定められた条件は、前記処方箋情報に基づく条件である、
ことを特徴とする請求項３に記載のモニタリングシステム。
【請求項５】
前記サーバ又は前記モニタリング端末は、前記荷重データの推移が示す荷重の減少タイミング又は減少量と、前記処方箋情報に示される医薬品の使用タイミング又は使用量と、に基づいて前記荷重データの推移が前記予め定められた条件を満たすか否かを判別する、
ことを特徴とする請求項４に記載のモニタリングシステム。
【請求項６】
前記収納容器は、複数の前記医薬品容器を収納し、
前記サーバ又は前記モニタリング端末は、前記処方箋情報に基づいて、複数の前記医薬品容器に入れられる複数の前記医薬品の使用量の合計値を算出し、該合計値と、前記荷重データの推移が示す荷重の減少タイミング又は減少量と、に基づいて前記荷重データの推移が前記予め定められた条件を満たすか否かを判別する、
ことを特徴とする請求項５に記載のモニタリングシステム。
【請求項７】
前記サーバは、前記処方箋情報に示される医薬品の使用タイミングより前のタイミングで、前記医薬品の使用を促す事前通知を外部装置に送信する、
ことを特徴とする請求項５に記載のモニタリングシステム。
【請求項８】
前記サーバは、前記医薬品を使用するユーザの住居の出入口に設置されるドアセンサから開閉情報を取得し、該ユーザが前記医薬品を使用する前に外出している場合に、外部装置に前記医薬品の使用を促す事前通知を外部装置に送信する、
ことを特徴とする請求項５に記載のモニタリングシステム。
【請求項９】
前記モニタリング端末は、前記医薬品が使用される時間帯の傾向を示す使用時間帯分布と、前記医薬品の日々の使用回数と、前記荷重データの推移とのいずれか一つ以上を、前記使用状態を示す情報として出力する、
ことを特徴とする請求項１から８のいずれか１項に記載のモニタリングシステム。
【請求項１０】
前記モニタリング端末は、前記医薬品の名称と該医薬品が提供された日とを関連付けた処方履歴を示す情報を出力する、
ことを特徴とする請求項１から９のいずれか１項に記載のモニタリングシステム。
【請求項１１】
前記モニタリング端末は、前記医薬品の成分及び質量と前記医薬品容器の質量とを示す情報を出力する、
ことを特徴とする請求項１から１０のいずれか１項に記載のモニタリングシステム。
【請求項１２】
前記収納容器は、歯ブラシが使用されているか否かを示す感知データを無線発信し、
前記サーバは、前記感知データを受信し、
前記モニタリング端末は、前記サーバからの受信データに基づいて、前記感知データを示す情報を出力する、
ことを特徴とする請求項１から１１のいずれか１項に記載のモニタリングシステム。
【請求項１３】
医薬品を入れる医薬品容器を収納する収納部と、
前記収納部の底部に加わる荷重によって変動する荷重データを出力するロードセルと、
前記ロードセルから出力された荷重データを無線発信する発信部と、
を備えることを特徴とする収納容器。
【請求項１４】
前記収納部は、複数の前記医薬品容器をまとめて収納する大きさを有する、
ことを特徴とする請求項１３に記載の収納容器。
【請求項１５】
歯ブラシを着脱可能に保持し、該歯ブラシを保持しているか否かを感知する感知センサを備える歯ブラシホルダをさらに備え、
前記発信部は、さらに前記感知センサから出力された感知データを無線発信する、
ことを特徴とする請求項１３又は１４に記載の収納容器。
【請求項１６】
前記発信部は、ＬＰＷＡネットワークに接続される通信モジュールであり、
前記ロードセルは、ピエゾ式又はひずみゲージ式のセンサを備える、
ことを特徴とする請求項１３から１５のいずれか１項に記載の収納容器。
【請求項１７】
提供された医薬品の使用状態をモニターするモニタリング方法であって、
前記医薬品を入れる医薬品容器を収納する収納容器が、該収納容器の底部に加わる荷重によって変動する荷重データを無線発信する発信ステップと、
サーバが前記荷重データを受信する受信ステップと、
前記サーバが前記受信ステップにおいて受信した前記荷重データの推移に基づいて、該サーバと通信するモニタリング端末が前記使用状態を示す情報を出力する出力ステップと、
を含むことを特徴とするモニタリング方法。
【請求項１８】
コンピュータを、
提供された医薬品を入れる医薬品容器を収納する収納容器から無線発信された、該収納容器の底部に加わる荷重によって変動する荷重データを受信する受信手段、
前記受信手段が受信した前記荷重データの推移に基づいて、前記使用状態を示す情報を出力する出力手段、
として機能させるためのプログラム。
【発明の詳細な説明】
【技術分野】
【０００１】
本開示は、モニタリングシステム、収納容器、モニタリング方法及びプログラムに関する。
【背景技術】
【０００２】
医療機関で診断を受けた患者は、処方箋を受け取っていても、処方箋の記載通りに医薬品を服用できていない事がある。例えば、患者が服用することを忘れたり、服用タイミングを間違えたり、過剰に服用してしまったりすることがある。
【０００３】
特に、服用する薬の種類や量が多い場合、服用すべきタイミングにばらつきがある場合、そのような服用ミスが生じやすい。患者が多忙、体調不良、高齢等である場合においても服用ミスが生じやすい。このような問題に対処すべく、患者が処方箋の記載通りに医薬品を服用できるように患者に情報を提供したり、通知を行ったりする技術が提案されている。
【０００４】
例えば、特許文献１は、複数の円筒状の薬物容器を着脱可能に収納し、患者の自宅で使用されるスマートトレイを開示している。円筒状の薬物容器の底部には、ＲＦＩＤタグと圧電素子が設けられ、圧電素子は薬物容器に入っている薬物の重さを計測する。スマートトレイは患者の自宅内のネットワークを介して、薬物の重さの計測データを、医療サービス提供者又は薬物提供者が使用する通信端末に送信する。医療サービス提供者又は薬物提供者は、通信端末を確認して、患者が持ち帰った薬物容器に入っている薬の量が減っているかどうかを把握することができる。
【先行技術文献】
【特許文献】
【０００５】
【特許文献１】特開２０１１−２００６７７号公報
【発明の概要】
【発明が解決しようとする課題】
【０００６】
薬物には、液状、固形状、粉末状等の種類がある。そのため、薬物は、袋に入った散剤、瓶詰めされた錠剤、ＰＴＰ（press through pack）包装シートに封入された錠剤等のように様々な形態で提供されることが一般的である。
【０００７】
特許文献１に開示されているスマートトレイによれば、そのような様々な形態で提供される複数の薬物を、それぞれ圧電素子を備える薬物容器に小分けして詰め替えることが必要となる。そのため、薬物の収納時や使用時に手間がかかる。
【０００８】
このような構成によれば、患者、薬物提供者等のユーザに負担があるため、ユーザの利便性が低下する。
【０００９】
そこで、本開示はこのような事情に鑑み、ユーザの利便性を向上するモニタリングシステム等を提供することを目的とする。
【課題を解決するための手段】
【００１０】
上記目的を達成するため、本開示の第１の観点に係るモニタリングシステムは、提供された医薬品の使用状態をモニターするモニタリングシステムであって、医薬品を入れる医薬品容器を収納し、底部に加わる荷重によって変動する荷重データを無線発信する収納容器と、荷重データを受信するサーバと、サーバと通信するモニタリング端末と、を備え、
モニタリング端末は、サーバからの受信データに基づいて、使用状態を示す情報を出力する、ことを特徴とする。
【００１１】
また、上記目的を達成するため、本開示の第２の観点に係る収納容器は、医薬品を入れる医薬品容器を収納する収納部と、収納部の底部に加わる荷重によって変動する荷重データを出力するロードセルと、ロードセルから出力された荷重データを無線発信する発信部と、を備えることを特徴とする。
【００１２】
また、上記目的を達成するため、本開示の第３の観点に係るモニタリング方法は、提供された医薬品の使用状態をモニターするモニタリング方法であって、医薬品を入れる医薬品容器を収納する収納容器が、収納容器の底部に加わる荷重によって変動する荷重データを無線発信する発信ステップと、サーバが荷重データを受信する受信ステップと、サーバが受信ステップにおいて受信した荷重データの推移に基づいて、サーバと通信するモニタリング端末が前記使用状態を示す情報を出力する出力ステップと、を含むことを特徴とする。
【００１３】
また、上記目的を達成するため、本開示の第４の観点に係るプログラムは、コンピュータを、提供された医薬品を入れる医薬品容器を収納する収納容器から無線発信された、収納容器の底部に加わる荷重によって変動する荷重データを受信する受信手段、受信手段が受信した荷重データの推移に基づいて、使用状態を示す情報を出力する出力手段、として機能させる。
【発明の効果】
【００１４】
本開示によれば、ユーザの利便性を向上することができる。
【図面の簡単な説明】
【００１５】
【図１】第１実施形態に係るモニタリングシステムの構成例を示す図である。
【図２】図１に示す収納容器の外観を示す斜視図である。
【図３】図１に示す収納容器の構成例を示すブロック図である。
【図４】図１に示すサーバの構成例を示すブロック図である。
【図５】図１に示すモニタリング端末の構成例を示すブロック図である。
【図６】図１に示すモニタリング端末が表示する画像の一例（その１）を示す図である。
【図７】図１に示すモニタリング端末が表示する画像の一例（その２）を示す図である。
【図８】図１に示すモニタリングシステムの動作の一例を示すフローチャートである。
【図９】第２実施形態に係るモニタリングシステムの構成例を示す図である。
【図１０】図９に示す収納容器の外観を示す斜視図である。
【図１１】図９に示す収納容器の構成例を示すブロック図である。
【図１２】図９に示すサーバの構成例を示すブロック図である。
【図１３】図９に示すモニタリング端末が表示する画像の一例を示す図である。
【発明を実施するための形態】
【００１６】
以下、本開示の実施形態について図面を参照して説明する。
【００１７】
（第１実施形態）
本実施形態では、医薬品の使用状態をモニターするモニタリングシステム１について説明する。医薬品の使用状態とは、医薬品を提供されたユーザが処方箋に示される用法、用量を順守して医薬品を使用しているかどうかの状態を意味する。
【００１８】
図１に示すように、モニタリングシステム１は、医薬品容器を収納する収納容器１０１、１０２、１０３と、荷重データを受信するサーバ２００と、医薬品の使用状態を示す情報を出力するモニタリング端末３００とを備える。荷重データについては後述する。
【００１９】
収納容器１０１は、医薬品を提供されたユーザによって使用される。収納容器１０１によって収納される医薬品容器には、提供された医薬品が入れられる。医薬品は、例えば、病院、薬局、歯科クリニック、オーラルケア用品の販売業者等によって提供される飲み薬、塗り薬、オーラルケア用品等である。オーラルケア用品には、歯周病予防の消費材が含まれる。
【００２０】
収納容器１０２、１０３も、収納容器１０１と同様に、それぞれ他のユーザによって使用される。収納容器１０１、１０２、１０３のユーザは、患者や医薬品の購入者である。収納容器１０１，１０２、１０３は、それぞれ荷重データを無線発信する。無線発信された荷重データは、基地局（不図示）及びネットワークＮＷを介して、サーバ２００に送信される。
【００２１】
サーバ２００は、モニタリングサービス提供事業者又はモニタリング端末３００のユーザによって使用される。サーバ２００は、ネットワークＮＷを介して、モニタリング端末３００と通信を行う。また、サーバ２００は、ネットワークＮＷを介して、収納容器１０１、１０２、１０３の荷重データを受信する。
【００２２】
モニタリング端末３００は、医薬品を提供する薬局の担当者、医療サービス提供事業者、又はこれらの委託業者によって使用される通信端末である。モニタリング端末３００は、例えば、パーソナルコンピュータ、タブレット端末、スマートフォン等の通信機能を有する装置である。医療サービス提供事業者は、ヘルスケア用品、オーラルケア用品等の販売業者を含む。モニタリング端末３００は、サーバ２００からの受信データに基づいて、提供された医薬品の使用状態を示す情報を出力する。
【００２３】
以下、収納容器１０１の構成を詳細に説明する。なお、収納容器１０２、１０３は、収納容器１０１と同じ構成を有する。
【００２４】
図２に示すように、収納容器１０１は、上方から医薬品容器を出し入れするための開口１０を有する筒状である。収納容器１０１の側面部２０及び底部３０は、医薬品容器を収納するための収納部４０をなしている。収納容器１０１の収納部４０は、例えば、弾性を有する樹脂製材料から構成される。
【００２５】
収納容器１０１の収納部４０は、複数の医薬品容器をまとめて収納する大きさを有することが好ましい。また、収納部４０は、薬袋に入った状態で医薬品容器を収納してもよい。複数の医薬品容器をまとめて収納できるように、収納容器１０１の開口１０は、２０ｃｍ２以上の面積を有することが好ましい。これにより、収納時に医薬品を小分けして詰め替えすることが不要となる。
【００２６】
ここで、収納容器１０１の機能的な構成を説明する。図３に示すように、収納容器１０１は、荷重データを出力するロードセル１１０と、収納容器１０１の識別情報を記憶する記憶部１２０と、装置全体の動作を制御する制御部１３０と、ロードセル１１０から出力された荷重データを無線発信する発信部１４０と、を備える。なお、収納容器１０１は、持ち運びを容易にするために図示せぬバッテリによって駆動される。
【００２７】
ロードセル１１０は、ピエゾ式又はひずみゲージ式のセンサを備える。ロードセル１１０のセンサは、底部３０に設けられ、収納される医薬品容器の荷重を受ける位置に配置される。
【００２８】
ロードセル１１０のセンサは、底部３０の上面に露出させてもよいし、底部３０の下面又は内部に設けられてもよい。なお、ロードセル１１０のセンサが底部３０の下面又は内部に設けられる場合、ロードセル１１０は、弾性を有する樹脂製材料の歪みを介して底部３０に加わる荷重を検出する。
【００２９】
ロードセル１１０が出力する荷重データは、底部３０に加わる荷重によって変動するデータである。荷重によって変動するデータとは、ゼロ調整がされた荷重の値であってもよいし、ゼロ調整がされていないオフセットを含む荷重の値であってもよいことを意味する。また、荷重によって変動するデータは、荷重の関数であればよく、荷重の大きさに線形に比例しないものであってもよい。そのため、収納容器１０１において、荷重データのゼロ調整を行うための構成及びユーザの調整作業は不要である。
【００３０】
記憶部１２０は、例えば、ＲＡＭ（Random Access Memory）又はＲＯＭ（Read Only Memory）から構成される。記憶部１２０は、収納容器１０１の識別情報を記憶する。収納容器１０１の識別情報は、他の収納容器１０２、１０３と区別するために固有に設定される情報である。
【００３１】
制御部１３０は、例えばＣＰＵ（Central Processing Unit）、タイマ回路等を備える。制御部１３０は、発信部１４０を制御して、タイマ回路に設定された間隔で定期的な無線発信を実行する。
【００３２】
発信部１４０は、ＬＰＷＡ（Low Power Wide Area）ネットワークに接続される通信モジュールである。ＬＰＷＡネットワークに接続される通信モジュールとは、ＬｏＲａ（登録商標）、ＳＩＧＦＯＸ（登録商標）等で知られるＬＰＷＡ規格に基づいて無線信号を発信する通信モジュールである。発信部１４０は、例えば無線周波数（ＲＦ：Radio Frequency）回路、ベースバンド（ＢＢ：Base Band）回路、集積回路（ＬＳＩ：Large Scale Integration）等から構成される。
【００３３】
発信部１４０は、記憶部１２０に記憶されている識別情報とロードセル１１０が出力する荷重データとを、アンテナ１４０ａを介して無線発信する。発信部１４０は、制御部１３０からの指示に応じて、1時間毎に荷重データを無線発信する。なお、発信部１４０が荷重データを無線発信する間隔は、これに限らず、１２時間毎、２４時間毎等の一定間隔であってもよい。
【００３４】
以下、サーバ２００の構成を詳細に説明する。図４に示すように、サーバ２００は、他の装置と通信を行う通信部２１０と、各種データを記憶する記憶部２２０と、現在時刻を計時する計時部２３０と、装置全体の制御を行う制御部２４０と、を備える。これらの構成要素は、バスラインＢＬによって相互に接続される。
【００３５】
通信部２１０は、有線通信又は無線通信を行うためのＮＩＣ（Network Interface Card controller）を備える通信インターフェースである。通信部２１０は、ネットワークＮＷ及び基地局を介して、収納容器１０１、１０２、１０３から荷重データと識別情報とを受信する。また、通信部２１０は、ネットワークＮＷを介してモニタリング端末３００と通信を行う。
【００３６】
記憶部２２０は、ＲＡＭ、ＲＯＭ等から構成される。記憶部２２０は、後述する処理を実行するためのプログラム、入力データ等を記憶する。具体的には、記憶部２２０は、収納容器１０１、１０２、１０３のそれぞれの識別情報と、収納容器１０１、１０２、１０３を使用する各ユーザの個人情報とが関連付けられた情報テーブルを記憶する。また、記憶部２２０は、収納容器１０１、１０２、１０３を使用するユーザ毎に使用状態を示す情報を記憶する。
【００３７】
計時部２３０は、クロック信号を生成するための発振回路及び可変ＰＬＬ（Phase Locked Loop）、クロック信号のパルス数をカウントするカウンタ回路等から構成される。計時部２３０はカウントされるパルス数に基づいて現在時刻を計時する。
【００３８】
制御部２４０は、ＣＰＵ等から構成される。制御部２４０は、記憶部２２０に記憶されているプログラムを実行することにより、サーバ２００の全体の動作を制御する。
【００３９】
以下、制御部２４０の機能的な構成を説明する。制御部２４０は、処方箋情報受付部２４１、荷重データ取得部２４２、使用状態取得部２４３、異常判別部２４４として機能する。
【００４０】
処方箋情報受付部２４１は、通信部２１０を介してモニタリング端末３００から受信した処方箋情報を取得する。処方箋情報とは、提供された医薬品の処方箋を示す情報である。処方箋情報には、医薬品を使用すべきタイミングと医薬品の１回あたりの使用量とを示す情報が含まれる。また、処方箋情報には、医薬品容器の質量を示す情報も含まれる。処方箋情報受付部２４１が取得した処方箋情報は、記憶部２２０に記憶される。また、処方箋情報受付部２４１は、提供された医薬品の名称と医薬品が提供された日とを関連付けた処方履歴を示す情報を記憶部２２０に記憶させる。
【００４１】
荷重データ取得部２４２は、通信部２１０を介して収納容器１０１、１０２、１０３から受信した荷重データを取得する。荷重データ取得部２４２は、通信部２１０が荷重データを受信したときに受信した識別情報に基づいて、当該荷重データが収納容器１０１、１０２、１０３のいずれかの荷重データであることを識別する。その識別結果と記憶部２２０に記憶されている情報変換テーブルとに基づいて、荷重データ取得部２４２は取得した荷重データを記憶部２２０に記憶させる。なお、荷重データは、その取得時刻と関連づけられて時系列で記憶部２２０に記憶される。
【００４２】
使用状態取得部２４３は、記憶部２２０に記憶されている処方箋情報と、記憶部２２０に時系列で記憶されている荷重データの推移とに基づいて、使用状態を示す情報を生成する。使用状態を示す情報には、例えば、医薬品が使用される時間帯の傾向を示す使用時間帯分布を示す情報と、医薬品の日々の使用回数を示す情報と、荷重データの推移を示す情報とが含まれる。
【００４３】
例えば、使用状態取得部２４３は、前回の荷重データが示す荷重と今回の荷重データが示す荷重との差分が1回分の医薬品の使用量の質量と近似している場合に１回分の医薬品が使用されたと判別する。医薬品容器が１回分の医薬品の使用によって捨てられる可能性が高い場合には、使用状態取得部２４３は、医薬品容器の質量を1回分の医薬品の使用量の質量に加算して判別してもよい。
【００４４】
近似しているか否かは、予め定められた許容誤差の範囲内であるかによって判別される。例えば、1回分の医薬品の使用量の質量が３ｇであり、許容誤差が０．５ｇに設定されている場合に、荷重の減少量が２．５〜３．５ｇの範囲内であれば、使用状態取得部２４３は、1回分の医薬品が使用されたものと判別する。
【００４５】
許容誤差は、荷重データが示す荷重の減少量が医薬品の使用による荷重の減少量としてありえない減少量である場合又は荷重データが示す荷重が増量している場合に、当該増減量はノイズとして無視できるように設定される。ノイズとは、例えば、医薬品と無関係なボールペン、紙切れ、ゴミ等が収納容器１０１、１０２、１０３の中に混入したり、取り除いたりした場合、ユーザが収納容器１０１、１０２、１０３に触っているタイミングで荷重データが送信された場合等に発生する荷重の増減である。
【００４６】
また、使用状態取得部２４３は、前回の荷重データが示す荷重と今回の荷重データが示す荷重との差分が医薬品の使用量の質量の自然数倍と近似している場合に当該自然数の回数分の医薬品が使用されたと判別する。
【００４７】
ここで、例えば、収納容器１０１、１０２、１０３の中に９ｇのボールペンが置かれ、その後にボールペンが取り除かれた場合において、ボールペンの９ｇの荷重の減少量が医薬品の３回分の使用量の質量に相当したとする。この場合、使用状態取得部２４３は、ボールペンが取り除かれた場合に、３回分の医薬品が使用されたと判別してしまう虞がある。そのため、使用状態取得部２４３は、前回の荷重データと今回の荷重データとを比較するだけでなく、数回前の荷重データとも比較して、そのようなノイズを無視する。
【００４８】
使用状態取得部２４３は、これらの判別結果を積算して１日分の使用回数を取得し、それらを日別に集計する。これにより、使用状態取得部２４３は、医薬品の日々の使用回数を示す情報を生成する。また、使用状態取得部２４３は、一時間毎に取得された荷重データの取得日時に基づいて、医薬品が使用される時間帯の傾向を示す使用時間帯分布を示す情報を生成する。
【００４９】
このような処理によって、使用状態取得部２４３が取得した使用状態を示す情報は、通信部２１０を介してモニタリング端末３００に送信される。
【００５０】
異常判別部２４４は、記憶部２２０に時系列で記憶されている荷重データの推移から、使用状態に異常があるか否かを判別する。具体的には、異常判別部２４４は、荷重データの推移が示す荷重の減少タイミング又は減少量と、処方箋情報に示される医薬品の使用タイミング又は使用量と、に基づいて使用状態に異常があるか否かを判別する。
【００５１】
例えば、１日に３回分の医薬品を使用すべき旨が処方箋情報に含まれている場合において、異常判別部２４４は、荷重データが示す荷重が1日で、２回分未満又は４回分以上の医薬品の使用量の質量だけ減少している場合に異常と判別する。なお、この判別においても、異常判別部２４４は許容誤差と医薬品容器の質量とを考慮して予め定められた近似範囲に基づいて判別してもよい。
【００５２】
異常判別部２４４は、使用状態に異常があると判別した場合、通信部２１０を介して、使用状態に異常があることを示す警報情報をモニタリング端末３００に送信する。なお、異常判別部２４４は、荷重データが示す荷重が大幅に減少した後に、次の荷重データが示す荷重が減少前の荷重に戻っている場合、一度、送信した警報情報を取り消す旨の通知をモニタリング端末３００に送信してもよい。これは、荷重データの減少がノイズである可能性が高いからである。
【００５３】
以下、モニタリング端末３００の構成を詳細に説明する。図５に示すように、モニタリング端末３００は、他の装置と通信を行う通信部３１０と、ユーザの入力操作を受け付ける入力部３２０と、各種データを記憶する記憶部３３０と、各種画像を表示する表示部３４０と、装置全体の制御を行う制御部３５０と、を備える。これらの構成要素は、バスラインＢＬによって相互に接続される。
【００５４】
通信部３１０は、有線通信又は無線通信を行うためのＮＩＣを備える通信インターフェースである。通信部３１０は、ネットワークＮＷを介して、サーバ２００と通信を行う。
【００５５】
入力部３２０は、操作ボタン、キーボード、タッチパネル等から構成され、ユーザが指示を入力するために用いられるインターフェースである。
【００５６】
記憶部３３０は、ＲＡＭ、ＲＯＭ等から構成される。記憶部３３０は、後述する処理を実行するためのプログラム、入力データ等を記憶する。
【００５７】
表示部３４０は、例えば、ＬＣＤ（Liquid Crystal Display）、ＥＬ（Electroluminescence）ディスプレイ等によって構成され、制御部３５０から入力された画像データに応じて画像を表示する。
【００５８】
制御部３５０は、ＣＰＵ等から構成される。制御部３５０は、記憶部３３０に記憶されているプログラムを実行することにより、モニタリング端末３００の全体の動作を制御する。
【００５９】
以下、制御部３５０の機能的な構成を説明する。制御部３５０は、入力受付部３５１、情報取得部３５２、表示制御部３５３として機能する。
【００６０】
入力受付部３５１は、ユーザが入力部３２０から入力したデータを受け付ける。例えば、入力受付部３５１は、先に述べた、処方箋情報、情報変換テーブル生成に必要な収納容器１０１、１０２、１０３の識別情報及び収納容器１０１、１０２、１０３のユーザの個人情報等を示すデータを受け付ける。入力受付部３５１は、受け付けたデータをサーバ２００に送信する。これにより、サーバ２００は、処方箋情報、情報変換テーブル生成に必要な情報を取得する。
【００６１】
情報取得部３５２は、通信部３１０を介して、サーバ２００から使用状態を示す情報を受信する。これにより、情報取得部３５２は、使用状態を示す情報を取得する。また、情報取得部３５２は、通信部３１０を介して、サーバ２００から処方履歴を示す情報を受信する。
【００６２】
表示制御部３５３は、情報取得部３５２が取得した使用状態を示す情報を画像データとして表示部３４０に出力する。これにより、表示部３４０は、使用状態を示す画像を表示する。また、表示制御部３５３は、情報取得部３５２が取得した処方履歴を示す情報を画像データとして表示部３４０に出力する。これにより、表示部３４０は、処方履歴を示す画像を表示する。なお、これらの画像は、入力受付部３５１が受け付けたユーザ操作に応じていずれか一方が選択的に表示される。
【００６３】
以下、モニタリング端末３００が表示する画像の例を説明する。まず、図６に示すように、モニタリング端末３００は、使用状態を示す情報として、医薬品の日々の使用回数を示す情報である画像３６０と、医薬品が使用される時間帯の傾向を示す使用時間帯分布を示す情報である画像３７０と、荷重データの推移を示す情報である画像３８０とを表示する。
【００６４】
画像３６０では、カレンダーの日付毎に医薬品の使用回数が示される。例えば、２０１７年４月４日は３回である。カレンダーの日付のうち、過去の日付ブロックには背景色が付される。ただし、使用状態が異常と判別されている日付ブロックには背景色が付されない。この例では医薬品を１日３回使用すべき場合を示しているため、例えば、４月３日と４月１３日は、１日３回の使用がされていないと判別されているため、背景色が付されていない。このような背景色による区別は、サーバ２００からモニタリング端末３００が警報情報を受信している場合になされる。
【００６５】
画像３７０では、過去の蓄積データに基づいて、医薬品の使用頻度が高い時間帯と、それらの時間帯において今までに医薬品が使用された回数とがグラフで示されている。このグラフから、例えば、８：００〜９：００までの時間帯には、今までに８０回以上も使用されていることがわかる。なお、使用回数が０の時間帯は表示されていない。
【００６６】
画像３８０では、荷重データの推移を示すグラフが示されている。この例では、横軸が日付を示し、縦軸が荷重データを示している。例えば、３月８日、３月２６日、４月８日には、荷重データが大幅に増加している。このことから、モニタリング端末３００のユーザは、これらの日に医薬品が提供されたことがわかる。
【００６７】
また、ほとんどの日において、荷重データが示す荷重は、一定の傾きで減少していることがわかる。このような傾向を見れば、モニタリング端末３００のユーザは、順調に医薬品が使用されていると推測することができる。しかし、４月３日と４月１３日には、一定の傾きとなっていない。そのため、モニタリング端末３００のユーザは、これらの日には医薬品が使用されていないと推測することができる。
【００６８】
荷重データの推移は、変化量を見るための情報である。そのため、荷重データの値がいくつであるかに意味はない。特に、荷重データが荷重の値ではなくオフセットを含む場合もあるため、収納容器１０１が空になっていても、荷重データがゼロであるとは限らない。
【００６９】
しかし、モニタリング端末３００のユーザは、荷重データの推移において荷重データが極小値付近（例えば３月８日、４月２１日）であれば、収納容器１０１が空になっていることを推測することができる。また、モニタリング端末３００のユーザは、荷重データの推移を見て、サーバ２００が医薬品の使用回数を誤って判別しているか否かを確認することができる。
【００７０】
なお、図６の例では、収納容器１０１の識別情報として、USER ID:001が表示され、この識別情報に関連づけられているユーザの個人情報に含まれるユーザの氏名として、特許史朗という氏名が表示されている。このように、使用状態を示す情報はユーザ毎に表示される。
【００７１】
モニタリング端末３００が表示する処方履歴を示す情報３９０は、図７に示すように、処方日付、医薬品の名称、提供された数量、医薬品容器に入れられた状態の医薬品のイメージ、備考、使用すべきタイミング、１回あたりに使用すべき使用量等の情報を含む。これらの情報は、処方された日付に応じて時系列で表示される。
【００７２】
この情報３９０から、例えば、２０１７年３月８日に、薬品Ａと薬品Ｂとがそれぞれ１８日分だけ処方されていることがわかる。また、薬品ＡはＰＴＰシートに包装された状態で提供され、薬品Ｂはボトル詰めされたカプセル錠であることがわかる。薬品Ａは１日３回の毎食後に２錠ずつ使用されるべきであり、薬品Ｂは１日２回の朝夕に１錠ずつ使用されるべきであることがわかる。モニタリング端末３００のユーザは、荷重データの推移に加えて、さらにかかる処方履歴を示す情報３９０を見ることにより、収納容器１０１のユーザの医薬品の使用状態をより正確に把握することができる。
【００７３】
次に、図８を参照しながら、モニタリングシステム１の全体の動作を説明する。ここでは、収納容器１０１、１０２、１０３のうち、代表例として収納容器１０１だけを取り上げて説明する。なお、他の収納容器１０２、１０３も収納容器１０１と同じ動作を行う。
【００７４】
収納容器１０１の制御部１３０は、タイマ回路に設定されている無線発信するタイミングになると制御処理を開始する。制御処理が開始すると、収納容器１０１の制御部１３０は、ロードセル１１０が出力する荷重データと収納容器１０１の識別情報とを、発信部１４０を介して無線発信する（ステップＳ１０１）。
【００７５】
サーバ２００の通信部２１０は、基地局及びネットワークＮＷを介して収納容器１０１が無線発信した荷重データと識別情報とを受信する（ステップＳ２０１）。サーバ２００の制御部２４０は、通信部２１０が受信した識別情報に基づいて、当該荷重データが収納容器１０１の荷重データであることを識別する。
【００７６】
サーバ２００の制御部２４０は、その識別結果と記憶部２２０に記憶されている情報変換テーブルとに基づいて、収納容器１０１のユーザの個人情報と関連づけて、取得した荷重データを記憶部２２０に記憶させる（ステップＳ２０２）。なお、荷重データは、その取得時刻と関連づけられて時系列で記憶部２２０に記憶される。
【００７７】
次に、サーバ２００の制御部２４０は、記憶部２２０に記憶されている処方箋情報と、記憶部２２０に時系列で記憶されている荷重データの推移とに基づいて、使用状態を示す情報を生成する。これにより、サーバ２００の制御部２４０は、使用状態を示す情報を取得する（ステップＳ２０３）。
【００７８】
サーバ２００の制御部２４０は、取得した使用状態を示す情報を、通信部２１０を介してモニタリング端末３００に送信する（ステップＳ２０４）。モニタリング端末３００の制御部３５０は、通信部３１０を介してサーバ２００から使用状態を示す情報を受信する（ステップＳ３０１）。
【００７９】
サーバ２００の制御部２４０は、荷重データの推移が示す荷重の減少タイミング又は減少量と、処方箋情報に示される医薬品の使用タイミング又は使用量と、に基づいて使用状態に異常があるか否かを判別する（ステップＳ２０５）。
【００８０】
使用状態に異常があると判別した場合（ステップＳ２０５；Ｙｅｓ）、サーバ２００の制御部２４０は、使用状態に異常があることを示す警報情報を、通信部２１０を介してモニタリング端末３００に送信する２１０を介してモニタリング端末３００に送信する（ステップＳ２０６）。モニタリング端末３００の制御部３５０は、通信部３１０を介してサーバ２００から警報情報を受信する（ステップＳ３０２）。
【００８１】
一方、使用状態に異常がないと判別した場合（ステップＳ２０５；Ｎｏ）、サーバ２００の制御部２４０は、ステップＳ２０６の処理をスキップする。この場合、モニタリング端末３００の制御部３５０は、ステップＳ３０２の処理をスキップする。
【００８２】
モニタリング端末３００の制御部３５０は、サーバ２００から受信した使用状態を示す情報を表示部３４０に出力する（ステップＳ３０３）。これにより、表示部３４０は、使用状態を示す情報を画像として表示する。
【００８３】
以上説明したように、本実施形態に係る収納容器１０１、１０２、１０３は、医薬品を入れる医薬品容器を収納し、底部３０に加わる荷重によって変動する荷重データを無線発信する。そのため、収納容器１０１、１０２、１０３は、袋に入った散剤、瓶詰めされた錠剤、ＰＴＰ包装シートに封入された錠剤等のように様々な形態で提供される医薬品をその医薬品容器とともに収納することができる。この場合、提供された医薬品を小分けして詰め替える必要がなく、医薬品の収納時や使用時に手間がかからないため、ユーザに負担感や違和感を与えることがない。したがって、ユーザの利便性を向上させることができる。
【００８４】
また、収納容器１０１、１０２、１０３が備える発信部１４０は、ＬＰＷＡネットワークに接続される通信モジュールである。この場合、収納容器１０１、１０２、１０３のユーザの自宅内のネットワークを使用する必要がない。収納容器１０１、１０２、１０３のユーザが、高齢者であったり、細かな設定作業が苦手な者であったりしても、ユーザの負担を軽減することができる。
【００８５】
（第２実施形態）
本実施形態では、第１実施形態に係るモニタリングシステム１に機能を追加したモニタリングシステム２について説明する。なお、以下の説明において、第１実施形態に係るモニタリングシステム１と共通する構成要素については同一の符号を付する。
【００８６】
図９に示すように、モニタリングシステム２は、歯ブラシを保持し、医薬品容器を収納する収納容器１０４、１０５、１０６と、各種データを受信するサーバ４００と、サーバ４００から受信した各種情報を出力するモニタリング端末３００とを備える。各種データには、荷重データに加えて、後述する操作データ及び感知データが含まれる。
【００８７】
収納容器１０４は、医薬品を提供されたユーザによって使用される。収納容器１０４によって収納される医薬品容器には、提供された医薬品が入れられる。医薬品は、例えば、病院、薬局、歯科クリニック、オーラルケア用品の販売業者等によって提供される飲み薬、塗り薬、オーラルケア用品等である。オーラルケア用品には、歯周病予防の消費材が含まれる。
【００８８】
収納容器１０５、１０６も、収納容器１０４と同様に、それぞれ他のユーザによって使用される。収納容器１０１、１０２、１０３のユーザは、患者や医薬品の購入者である。収納容器１０２、１０３は、それぞれ各種データを無線発信する。無線発信された各種データは、基地局（不図示）及びネットワークＮＷを介して、サーバ４００に送信される。
【００８９】
サーバ４００は、モニタリングサービス提供事業者又はモニタリング端末３００のユーザによって使用される。サーバ４００は、ネットワークＮＷを介して、モニタリング端末３００と通信を行う。また、サーバ４００は、ネットワークＮＷを介して、収納容器１０４、１０５、１０６の各種データを受信する。
【００９０】
モニタリング端末３００は、サーバ４００からの受信データに基づいて、各種情報を出力する。
【００９１】
以下、収納容器１０４の構成を詳細に説明する。なお、収納容器１０５、１０６は、収納容器１０４と同じ構成を有する。
【００９２】
図１０に示すように、収納容器１０４は、収納部４５の側面部２０に歯ブラシを保持する歯ブラシホルダ７０が設けられ、収納部４５の底部３５において、交換済みボタン５０と発注ボタン６０が設けられている点で第１実施形態に係る収納容器１０１と異なる。
【００９３】
歯ブラシホルダ７０は、上方から差し込まれた歯ブラシを着脱可能に保持する。また、歯ブラシホルダ７０は、歯ブラシを保持しているか否かを示す感知する感知センサ１６０を備える。
【００９４】
交換済みボタン５０は、歯ブラシを交換した場合に、収納容器１０４のユーザによって押されるボタンである。発注ボタン６０は、消耗品を発注する場合に、収納容器１０４のユーザによって押されるボタンである。
【００９５】
ここで、収納容器１０４の機能的な構成を説明する。図１１に示すように、収納容器１０４は、荷重データを出力するロードセル１１０と、収納容器１０１の識別情報、操作データ及び感知データを記憶する記憶部１２５と、操作を受け付ける操作部１５０と、歯ブラシを保持しているか否かを感知する感知センサ１６０と、装置全体の動作を制御する制御部１３５と、各種データを無線発信する発信部１４５と、を備える。
【００９６】
記憶部１２５と、操作部１５０と、感知センサ１６０と、制御部１３５とは、バスラインＢＬによって互いに接続される。なお、収納容器１０４は、持ち運びを容易にするために図示せぬバッテリによって駆動される。
【００９７】
記憶部１２５は、例えば、ＲＡＭ、ＲＯＭ等から構成される。記憶部１２５は、収納容器１０４の識別情報を記憶する。また、記憶部１２５は、操作データ及び感知データを一時的に記憶する。
【００９８】
操作部１５０は、交換済みボタン５０と発注ボタン６０を備える。操作部１５０は、交換済みボタン５０と発注ボタン６０とが押されているか否かを制御部１３５に通知する。
【００９９】
感知センサ１６０は、例えば、プッシュ型スイッチ、光センサ等を備える。プッシュ型スイッチを備える場合は、感知センサ１６０は、歯ブラシの重さを感知する。光センサを備える場合は、感知センサ１６０は、歯ブラシによる遮光を感知する。
【０１００】
制御部１３５は、発信部１４５を制御して、タイマ回路に設定された間隔（例えば１時間）で定期的な無線発信を実行する。制御部１３５及び発信部１４５は、荷重データに加えて、操作データ及び感知データについても無線発信する点で、第１実施形態の制御部１３０及び発信部１４０とは異なる。
【０１０１】
なお、操作データとは、交換済みボタン５０又は発注ボタン６０が押された場合に、操作部１５０が出力するデータである。制御部１３５は、操作データを記憶部１２５に一時的に記憶させ、無線発信するタイミングでその操作データを無線発信する。無線発信した後に、一時的に記憶された操作データは記憶部１２５から削除される。
【０１０２】
感知データとは、感知センサ１６０が歯ブラシを感知していないときに感知センサ１６０が出力するデータである。制御部１３５は、感知データを記憶部１２５に一時的に記憶させ、無線発信するタイミングでその感知データを無線発信する。無線発信した後に、一時的に記憶された感知データは記憶部１２５から削除される。
【０１０３】
以下、サーバ４００の構成を詳細に説明する。図１２に示すように、サーバ４００は、制御部４４０が感知データ受付部４４５及び操作データ受付部４４６としても機能する点で、第１実施形態のサーバ２００と異なる。サーバ４００の通信部４１０は、ネットワークＮＷ及び基地局を介して、収納容器１０４、１０５、１０６から荷重データ及び識別情報に加えて、さらに感知データ及び操作データを受信する点で第１実施形態のサーバ２００の通信部２１０と異なる。制御部４４０の使用状態取得部４４３は、荷重データに基づく使用状態を示す情報だけでなく、感知データ及び操作データに基づく使用状態を示す情報をも取得する点で第１実施形態の制御部２４０の使用状態取得部２４３と異なる。
【０１０４】
感知データ受付部４４５及び操作データ受付部４４６は、通信部４１０を介して収納容器１０４、１０５、１０６から受信した感知データ及び操作データを取得する。感知データ受付部４４５及び操作データ受付部４４６は、通信部４１０が感知データ及び操作データを受信したときに受信した識別情報に基づいて、当該感知データ及び操作データが収納容器１０４、１０５、１０６のいずれかの感知データ及び操作データであることを識別する。その識別結果と記憶部２２０に記憶されている情報変換テーブルとに基づいて、感知データ受付部４４５及び操作データ受付部４４６は取得した感知データ及び操作データを記憶部２２０に記憶させる。なお、感知データ及び操作データは、その取得時刻と関連づけられて時系列で記憶部２２０に記憶される。
【０１０５】
制御部４４０の使用状態取得部４４３は、記憶部に２２０に記憶されている荷重データに基づく使用状態を示す情報と、記憶部２２０に記憶されている感知データ及び操作データに基づく使用状態を示す情報とを取得する。使用状態取得部４４３は、取得した使用状態を示す情報を通信部４１０及びネットワークＮＷを介してモニタリング端末３００に送信する。なお、モニタリング端末３００は、サーバ４００からの受信データに基づいて、これらの使用状態を示す情報を出力する。
【０１０６】
以下、モニタリング端末３００が表示する画像の例を説明する。図１３に示すように、モニタリング端末３００は、感知データ及び操作データに基づく使用状態を示す情報として、ユーザの日々の歯磨き回数を示す情報である画像３６５と、ユーザが歯磨きする時間帯の傾向を示す歯磨き時間帯分布を示す情報である画像３７５と、ユーザが歯ブラシ、消耗材等を交換した交換履歴を示す情報である画像３８５と、発注履歴を示す画像３９５とを表示する。
【０１０７】
画像３６５では、カレンダーの日付毎に歯磨き回数が示される。この歯磨き回数は、収納容器１０４において歯ブラシが感知されていないときに出力される感知データに基づいて、サーバ４００が算出した値である。すなわち、歯ブラシが感知されていないときにはユーザが歯磨きしていると認識される。なお、画像３６５において、１日に１回も歯磨きしていないと判別されている日付ブロックには背景色が付されない。
【０１０８】
画像３７５では、過去の蓄積データに基づいて、歯磨き回数の頻度が高い時間帯と、それらの時間帯において今までに医薬品が使用された回数とがグラフで示されている。このグラフから、例えば、ユーザが８：００〜９：００の時間帯と１９：００〜２０：００の時間帯に歯磨きする傾向があることがわかる。
【０１０９】
画像３８５では、交換された物品と交換日付とを含む交換履歴が示されている。画像３８５を見たユーザは、収納容器１０４のユーザが、物品を発注するタイミングや定期的に物品を交換しているか否かを推測することができる。画像３９５では、物品名と発注日とを含む発注履歴が示されている。画像３９５を見たユーザは、収納容器１０４のユーザが、物品を発注するタイミングを推測することができ、かつ発注している物品があるか否かを知ることができる。また、2017年4月22日の薬用マウスウォッシュのように、未対応の発注については、強調表示される。
【０１１０】
本実施形態に係るモニタリングシステム２によれば、モニタリング端末３００のユーザは、収納容器１０４、１０５、１０６のユーザの医薬品の使用状態と歯ブラシの使用状態を把握することができる。そのため、医薬品、歯ブラシ等の物品の提供やアドバイスの提供を円滑にすることができる。
【０１１１】
以上で実施形態の説明を終了するが、上記実施形態は一例に過ぎない。そのため、モニタリングシステム１、２の具体的な構成、処理の内容等は上記実施形態で説明したものに限られない。以下、上記実施形態の変形例について説明する。
【０１１２】
（変形例）
まず、上記実施形態では、サーバ２００、４００が荷重データ、感知データ、操作データ等に基づいて使用状態を示す情報を取得している。しかし、サーバ２００、４００が荷重データ、感知データ、操作データをモニタリング端末３００に送信し、モニタリング端末がサーバ２００、４００からの受信データに基づいて使用状態を示す情報を取得してもよい。また、使用状態を示す情報を取得するための処理は、サーバ２００、４００とモニタリング端末３００とが協働することによって実行されてもよい。
【０１１３】
上記実施形態では、モニタリング端末３００は、表示部３４０に使用状態を示す情報を出力し、その画像を表示させている。しかし、モニタリング端末３００は、外部装置に使用状態を示す情報を出力し、その画像を表示させてもよい。
【０１１４】
上記実施形態では、収納容器１０１、１０２、１０３、１０４、１０５、１０６は、一定間隔で無線発信を実行する構成である。しかし、無線発信する間隔は一定間隔でなくてもよい。
【０１１５】
例えば、収納容器１０１、１０２、１０３、１０４、１０５、１０６は、現在時刻を計時する計時部を備え、予め定められた時刻に無線発信を実行してもよい。予め定められた時刻は、例えば毎食後時刻である。毎食後時刻は、例えば、９：００までに朝食を取り、１４：００までに昼食を取り、２１：００までに夕食を取る人が多いことを考慮して、９：００，１４：００，２１：００の１日３回に設定される。
【０１１６】
かかる構成によれば、モニタリング端末３００のユーザは、毎食後時刻に医薬品が使用されているか否かを判別することができる。なお、朝夕で１日２回の場合、毎食後時刻ではなく、朝夕時刻が設定されてもよい。
【０１１７】
サーバ２００は、処方箋情報に示される医薬品の使用タイミングより前のタイミングで、医薬品の使用を促す事前通知を出力してもよい。また、サーバ２００は、毎食後時刻、朝夕時刻等の予め定められた時刻の前に事前通知を出力してもよい。例えば、サーバ２００は、医薬品の使用タイミングの３０分前や１時間前等に、外部装置に事前通知を送信してもよい。外部装置は、例えば、モニタリング端末３００、医薬品を使用するユーザが使用する通信端末等である。これにより、ユーザが医薬品の使用を忘れることを防止することができる。
【０１１８】
また、サーバ２００は、収納容器１０１、１０２、１０３、１０４、１０５、１０６のユーザの住居の出入口に設置されるドアセンサから開閉情報を取得し、ユーザが医薬品を使用する前に外出しているか否かを判別してもよい。医薬品を使用する前に外出したと判別した場合に、サーバ２００が外部装置に事前通知を送信してもよい。
【０１１９】
外出時に、ユーザが収納容器１０１、１０２、１０３、１０４、１０５、１０６から医薬品を持ち出す可能性がある。そのため、事前通知は、医薬品が使用されているか否かではなく、外出前に収納容器１０１、１０２、１０３、１０４、１０５、１０６から医薬品が持ち出されているか否かに基づいて実行されてもよい。
【０１２０】
収納容器１０１、１０２、１０３、１０４、１０５、１０６が、複数の医薬品容器を収納し、複数の医薬品容器のそれぞれには異なる医薬品が入れられる場合、サーバ２００、４００又はモニタリング端末３００は、さらに複雑な判別処理を行ってもよい。
【０１２１】
例えば、サーバ２００又はモニタリング端末３００は、処方箋情報に基づいて、複数の医薬品容器に入れられる複数の医薬品の使用量の合計値を算出し、その合計値と、荷重データの推移が示す荷重の減少タイミング又は減少量と、に基づいて使用状態に異常があるか否かを判別してもよい。このような判別処理は複雑であり、ユーザ毎に個別設定が必要となる。そのため、サーバ２００又はモニタリング端末３００は、荷重データの推移から機械学習することによって判別条件を設定してもよい。
【０１２２】
上記実施形態で説明したモニタリングシステム１、２の各装置の構成は、技術的な矛盾が生じない限り、適宜組み合わせ可能である。
【０１２３】
また、本開示に係るモニタリングシステムは、上記装置によらず、例えば、コンピュータがプログラムを実行することで、その機能を実現してもよい。モニタリングシステムの機能を実現するためのプログラムは、ＵＳＢ（Universal Serial Bus）メモリ、ＣＤ−ＲＯＭ（Compact Disc−Read Only Memory）、ＤＶＤ（Digital Versatile Disc）、ＨＤＤ（Hard Disc Drive）等のコンピュータ読み取り可能な記録媒体に記憶されてもよいし、ネットワークを介してコンピュータにダウンロードされてもよい。
【０１２４】
以上、本開示の好ましい実施形態について説明したが、本開示は係る特定の実施形態に限定されるものではなく、本開示には、特許請求の範囲に記載された発明とその均等の範囲が含まれる。
【符号の説明】
【０１２５】
１，２…モニタリングシステム、１０１，１０２，１０３，１０４，１０５，１０６…収納容器、２００，４００…サーバ、３００…モニタリング端末、１０…開口、２０…側面部、３０，３５…底部、４０，４５…収納部、５０…交換済みボタン、６０…発注ボタン、７０…歯ブラシホルダ、１１０…ロードセル、１２０，１２５，２２０，３３０…記憶部、１３０，１３５，２４０，３５０…制御部、１４０，１４５…発信部、１５０…操作部、１６０…感知センサ、２１０，３１０，４１０…通信部、２３０…計時部、２４１…処方箋情報受付部、２４２…荷重データ取得部、２４３，４４３…使用状態取得部、２４４…異常判別部、３２０…入力部、３４０…表示部、３５１…入力受付部、３５２…情報取得部、３５３…表示制御部、３６０，３６５，３７０，３７５，３８０，３８５，３９０，３９５…画像、４４５…感知データ受付部、４４６…操作データ受付部
【図１】
2019022586.tif 000003
【図２】
2019022586.tif 000004
【図３】
2019022586.tif 000005
【図４】
2019022586.tif 000006
【図５】
2019022586.tif 000007
【図６】
2019022586.tif 000008
【図７】
2019022586.tif 000009
【図８】
2019022586.tif 000010
【図９】
2019022586.tif 000011
【図１０】
2019022586.tif 000012
【図１１】
2019022586.tif 000013
【図１２】
2019022586.tif 000014
【図１３】
2019022586.tif 000015